【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
複数の顔の３Ｄモデル、及び前記複数の顔のうちの１つ以上に対する１つ以上の患者インターフェイスデバイスの事前に計算された幾何学的適合スコアを保存する幾何学的適合スコアデータベースと、
患者の顔の３Ｄモデルを受け取り、前記患者の顔に対する前記患者インターフェイスデバイスのうちの１つ以上の幾何学的適合スコアを決定する第１の処理ユニットと
を含み、前記第１の処理ユニットは、
前記患者の顔の３Ｄモデルを保存された前記複数の顔の３Ｄモデルのうちの１つ以上とマッチさせ、マッチされた１つ以上の顔に対する前記患者インターフェイスデバイスのうちの１つ以上の前記事前に計算された幾何学的適合スコアを使用して、前記患者の顔に対する前記１つ以上の患者インターフェイスデバイスの幾何学的適合スコアを決定するマッチ発見ユニットを含む、システム。
【請求項２】
前記マッチ発見ユニットは、最小二乗平均法を使用して、前記患者の顔を前記複数の顔のうちの１つとマッチさせ、マッチされた１つ以上の顔に対する前記１つ以上の患者インターフェイスデバイスの幾何学的適合スコアを使用して、前記患者の顔に対する前記１つ以上の患者インターフェイスデバイスの幾何学的適合スコアを決定する、請求項１に記載のシステム。
【請求項３】
前記マッチ発見ユニットは、前記患者の顔を前記複数の顔のうちの１つとマッチさせ、マッチされた１つ以上の顔に対する前記１つ以上の患者インターフェイスデバイスの幾何学的適合スコアを使用して、前記患者の顔に対する前記１つ以上の患者インターフェイスデバイスの幾何学的適合スコアを決定し、前記マッチ発見ユニットは、マッチされた顔の３Ｄモデルと前記患者の顔の３Ｄモデルとの間の差に基づき、前記マッチされた顔に対する前記１つ以上の患者インターフェイスデバイスの幾何学的適合スコアを調整して、前記患者の顔に対する前記１つ以上の患者インターフェイスデバイスの幾何学的適合スコアを決定する、請求項１に記載のシステム。
【請求項４】
前記マッチ発見ユニットは、前記複数の顔のうちの２つ以上に対する前記１つ以上の患者インターフェイスデバイスの前記事前に計算された幾何学的適合スコアを使用して、前記患者の顔に対する前記１つ以上の患者インターフェイスデバイスの幾何学的適合スコアを決定する、請求項１に記載のシステム。
【請求項５】
前記患者の顔に対する前記１つ以上の患者インターフェイスデバイスの総合適合スコアを決定する第２の処理ユニットを更に含み、前記第２の処理ユニットは、
患者情報及び／又は前記１つ以上の患者インターフェイスデバイスに関連付けられた追加情報に基づき、前記１つ以上の患者インターフェイスデバイスの患者基準適合スコアを計算する患者基準適合スコア決定ユニットと、
前記患者の顔に対する前記１つ以上の患者インターフェイスデバイスの計算された幾何学的適合スコア及び計算された患者基準適合スコアに基づき、前記患者の顔に対する前記１つ以上の患者インターフェイスデバイスの総合適合スコアを計算する総合適合スコア決定ユニットと、
前記患者の顔の３Ｄモデル及び選択された前記患者インターフェイスデバイスの３Ｄモデルを表示する表示領域、並びに、患者インターフェイスデバイス識別情報及び前記患者の顔に対する前記１つ以上の患者インターフェイスデバイスの総合適合スコアを表示し、ユーザーが前記表示領域に表示される患者インターフェイスを選択することを可能にする患者インターフェイスデバイス選択領域を含むユーザーインターフェイスを生成するユーザーインターフェイス生成器と
を含む、請求項１に記載のシステム。
【請求項６】
前記ユーザーインターフェイス生成器は、前記ユーザーが前記患者情報を入力するための問診票を前記ユーザーインターフェイス上に生成し、前記ユーザーインターフェイス生成器は、前記ユーザーが前記問診票を提出したことに応じて、前記表示領域及び前記患者インターフェイスデバイス選択領域を前記ユーザーインターフェイス内に生成する、請求項５に記載のシステム。
【請求項７】
前記ユーザーが前記問診票を提出したことに応じて、前記ユーザーインターフェイス生成器は、前記１つ以上の患者インターフェイスデバイスから前記患者の顔に対して最も高い総合適合スコアを有する患者インターフェイスデバイスを自動的に選択する、請求項６に記載のシステム。
【請求項８】
前記患者インターフェイスデバイス選択領域は、前記ユーザーインターフェイスの前記患者インターフェイスデバイス選択領域内に表示される前記１つ以上の患者インターフェイスデバイスをフィルタリングする１つ以上のフィルタリングツールを含む、請求項５に記載のシステム。
【請求項９】
前記複数の顔のうちの１つ以上に対する前記１つ以上の患者インターフェイスデバイスの幾何学的適合スコアを事前に計算し、１つ以上の顔に対する前記１つ以上の患者インターフェイスデバイスの前記事前に計算された幾何学的適合スコアを前記幾何学的適合スコアデータベース内に保存する幾何学的適合スコア決定ユニットを有する第３の処理ユニットを更に含む、請求項１に記載のシステム。
【請求項１０】
前記第１の処理ユニットは、１つ以上の患者の顔を選択し、前記選択された１つ以上の患者の顔に対する前記患者インターフェイスデバイスのうちの１つ以上の幾何学的適合スコアを事前に計算するよう前記第３の処理ユニットを制御する、請求項９に記載のシステム。
【請求項１１】
前記幾何学的適合スコア決定ユニットは、前記１つ以上の顔に対する前記１つ以上の患者インターフェイスデバイスの幾何学的適合スコアを事前に計算するために有限要素解析を使用する、請求項９に記載のシステム。
【請求項１２】
前記１つ以上の顔に対する前記１つ以上の患者インターフェイスデバイスの前記事前に計算された幾何学的適合スコアは、前記１つ以上の患者インターフェイスデバイス及び前記１つ以上の顔の変形を考慮する、請求項１に記載のシステム。
【請求項１３】
前記幾何学的適合スコアデータベースは、複数の患者インターフェイスデバイスの３Ｄモデルを保存する、請求項１に記載のシステム。
【請求項１４】
前記複数の患者インターフェイスデバイスの全３Ｄモデルは、変形した患者インターフェイスデバイスの３Ｄモデルを含む、請求項１３に記載のシステム。
【請求項１５】
複数の患者インターフェイスデバイスのうちの患者インターフェイスデバイスを選択するための方法であって、
患者の顔の３Ｄモデルを作成するステップと、
複数の顔のそれぞれの３Ｄモデルを作成するステップと、
前記患者の顔の３Ｄモデルを患者インターフェイスデバイス選択システムに供給するステップと、
前記複数の顔の３Ｄモデルを前記患者インターフェイスデバイス選択システムに供給するステップと、
前記患者インターフェイスデバイス選択システムを使用して、前記患者の顔に対する前記患者インターフェイスデバイスのうちの１つ以上の幾何学的適合スコアを決定するステップと
を含み、
前記患者インターフェイスデバイス選択システムは、
前記複数の顔の３Ｄモデル、及び前記複数の顔のうちの１つ以上に対する１つ以上の患者インターフェイスデバイスの事前に計算された幾何学的適合スコアを保存する幾何学的適合スコアデータベースと、
前記患者の顔の３Ｄモデルを受け取り、前記患者の顔に対する前記患者インターフェイスデバイスのうちの１つ以上の幾何学的適合スコアを決定する第１の処理ユニットと
を含み、前記第１の処理ユニットは、
前記患者の顔の３Ｄモデルを保存された前記複数の顔の３Ｄモデルのうちの１つ以上とマッチさせ、マッチされた１つ以上の顔に対する前記患者インターフェイスデバイスのうちの前記１つ以上の前記事前に計算された幾何学的適合スコアを使用して、前記患者の顔に対する前記１つ以上の患者インターフェイスデバイスの幾何学的適合スコアを決定するマッチ発見ユニットを含む、方法。
【請求項１６】
患者のための患者インターフェイスデバイスを提供する方法であって、
請求項１に記載のシステムによって決定された、複数の患者インターフェイスデバイスの幾何学的適合スコアを受け取るステップと、
前記患者のための前記患者インターフェイスデバイスを製作するために、前記患者のための前記患者インターフェイスデバイスの形状を決定するために、及び／又は所定の患者インターフェイスデバイスのセットから前記患者に適した患者インターフェイスデバイスを選択するために前記決定された幾何学的適合スコアを使用するステップと
を含む、方法。